(57)【要約】【課題】大きな力を加えずに藻類（コケ）等を取り除くことができる使い勝手の良い水槽用掃除具を提供する。【解決手段】柄部２を弾性変形させた際の応力をブラシ部３またはスクレーパ部４に容易に集中できる。柄部２の弾性応力を集中させながらブラシ部３またはスクレーパ部４で水槽の内壁面等を軽く擦ることによって、藻類（コケ）等の汚れを、大きな力を加えずに効率良く取り除くことができる。小さな水槽内にブラシ部３またはスクレーパ部４を入れて掃除をしても、水面上昇が小さく、水槽内の水を溢れさせるおそれが低い。比較的多くのアクアリストが使用している小型水槽であっても容易に掃除ができ、日々のこまめなちょっとした掃除が容易にできる。【選択図】図１
0003165549.tif 000002
【実用新案登録請求の範囲】
【請求項１】
長手方向に沿って弾性変形可能な細長棒状の本体部と、
この本体部の長手方向の一端部に設けられたブラシ部と、
前記本体部の長手方向の他端部を先細状に傾斜させて設けられたヘラ状のスクレーパ部と
を具備していることを特徴とした水槽用掃除具。
【請求項２】
本体部は、ブラシ部およびスクレーパ部のいずれか一方を被掃除部に接触させ、これらブラシ部およびスクレーパ部のいずれか一方が位置する側とは反対側を支持し、これらブラシ部およびスクレーパ部のいずれか一方を前記被掃除部に押し付けるようにして、前記本体部を長手方向に沿って弾性変形させることによって、この本体部を長手方向に弾性変形させた場合に生じる応力が、これらブラシ部およびスクレーパ部のいずれか一方の部分に集中する細長状に形成されている
ことを特徴とした請求項１記載の水槽用掃除具。
【請求項３】
ブラシ部は、本体部の一側面側に設けられ、
スクレーパ部は、前記ブラシ部が設けられている側である前記本体部の一側面側がテーパ状に傾斜されて設けられている
ことを特徴とした請求項１または２記載の水槽掃除具。
【請求項４】
ブラシ部は、本体部の長手方向の一端部の一側面に毛材が垂直に植設されて形成され、
スクレーパ部は、本体部の長手方向の他端部の一側面を先細状に傾斜させて形成され、この本体部の幅寸法に等しい幅寸法に形成されている
ことを特徴とした請求項１ないし３いずれかに記載の水槽掃除具。
【請求項５】
本体部は、長さ４５０ｍｍ、幅１２ｍｍ、厚さ７ｍｍの細長棒状に形成されている
ことを特徴とした請求項１ないし４のいずれかに記載の水槽掃除具。
【考案の詳細な説明】
【技術分野】
【０００１】
本考案は、例えば観賞魚飼育用の水槽の壁面等の汚れ、特に藻類（コケ）等を、大きな力を加えずに効率良く取り除いて掃除することができる水槽用掃除具に関する。
【背景技術】
【０００２】
従来、この種の水槽用掃除具としては、例えば下記特許文献１に記載のように、伸縮可能に構成された円筒状の柄管の一端部にスポンジ材が取り付けられ、この柄管の他端部に、先端側に向けて広がる扇形のヘラ部が取り付けられた観賞魚水槽用クリーナーが知られている。
【先行技術文献】
【特許文献】
【０００３】
【特許文献１】登録実用新案第３０３７３８２号公報
【考案の概要】
【考案が解決しようとする課題】
【０００４】
しかしながら、上記特許文献１にかかる従来技術によれば、スポンジ材が取り付けられている側を、水槽内に入れて壁面を掃除しようとしたときにおいては、このスポンジ材を水槽内の水中に入れた際に、水槽内の水面が上昇し水槽内の水が溢れてしまうおそれがある。このため、特に、水量の少ない小型水槽においては、予め水槽内の水をある程度汲みだしてから掃除しなければならない。
【０００５】
また、伸縮可能に構成された円筒状の柄管とされていることから、スポンジ材またはヘラ部を用いて水槽の壁面等を掃除する際において、これらスポンジ材またはヘラ部が設けられていない側の柄管を把持し、これらスポンジ材またはヘラ部を水槽の壁面に押さえつけようとすると、この柄管の伸縮可能となる環状ネジの部分に応力が集中してしまい、これらスポンジ材またはヘラ部に応力を集中させることが容易ではないばかりか、柄管の環状ネジの部分を破損させてしまうおそれがあるため、ある程度の大きな力を加えて効率良く掃除することが容易ではない。
【０００６】
さらに、柄管の他端部に取り付けられたヘラ部が、先端側に向けて広がる扇形とされているため、このヘラ部の先端部では、小型水槽の角部や、湾曲した壁面等を掃除することが容易ではなく、使用する場所が限定されてしまうため、使い勝手が良くないという問題を有している。
【０００７】
そこで本考案は、従来技術における上記問題を解決し、水槽内の水を溢れさせることなく、効率良く応力を集中させて掃除でき、様々な箇所を効率よく掃除できる使い勝手の良い水槽用掃除具を提供することを目的とする。
【課題を解決するための手段】
【０００８】
この課題を解決するため、請求項１にかかる本考案は、長手方向に沿って弾性変形可能な細長棒状の本体部と、この本体部の長手方向の一端部に設けられたブラシ部と、前記本体部の長手方向の他端部を先細状に傾斜させて設けられたヘラ状のスクレーパ部とを具備していることを特徴とした水槽用掃除具である。
【０００９】
請求項２は、請求項１の水槽用掃除具において、本体部は、ブラシ部およびスクレーパ部のいずれか一方を被掃除部に接触させ、これらブラシ部およびスクレーパ部のいずれか一方が位置する側とは反対側を支持し、これらブラシ部およびスクレーパ部のいずれか一方を前記被掃除部に押し付けるようにして、前記本体部を長手方向に沿って弾性変形させることによって、この本体部を長手方向に弾性変形させた場合に生じる応力が、これらブラシ部およびスクレーパ部のいずれか一方の部分に集中する細長状に形成されている、ことを特徴とする。
【００１０】
請求項３は、請求項１または２の水槽用掃除具において、ブラシ部は、本体部の一側面側に設けられ、スクレーパ部は、前記ブラシ部が設けられている側である前記本体部の一側面側がテーパ状に傾斜されて設けられている、ことを特徴とする。
【００１１】
請求項４は、請求項１ないし３のいずれかの水槽用掃除具において、ブラシ部は、本体部の長手方向の一端部の一側面に毛材が垂直に植設されて形成され、スクレーパ部は、本体部の長手方向の他端部の一側面を先細状に傾斜させて形成され、この本体部の幅寸法に等しい幅寸法に形成されている、ことを特徴とする。
【００１２】
請求項５は、請求項１ないし４のいずれかの水槽用掃除具において、本体部は、長さ４５０ｍｍ、幅１２ｍｍ、厚さ７ｍｍの細長棒状に形成されている、ことを特徴とする。
【考案の効果】
【００１３】
本考案によれば、本体部が細長棒状とされ、この本体部の容積が小さく設計されているため、例えば比較的小型の水槽の内面を掃除する場合に、ブラシ部またはスクレーパ部を先端側に向けて水槽内へ入れた場合においても水槽内の水面上昇が小さく、水槽内の水を溢れさせるおそれが低い。また、細長棒状の細い本体部の一端部にブラシ部が設けられ、この本体部の他端部を先細状に傾斜させてヘラ状のスクレーパ部が設けられているため、これらブラシ部またはスクレーパ部を水槽の壁面等に押し付けて本体部を弾性変形させることによって、この本体部を弾性変形させることによって生じる応力をブラシ部またはスクレーパ部に効率良く集中させることができる。よって、これらブラシ部およびスクレーパ部を用いた水槽の掃除を容易にできるとともに、これらブラシ部またはスクレーパ部を適宜使い分けることによって、水槽の様々な箇所を効率良く掃除することができるため、使い勝手を大幅に向上できる。
【００１４】
また、例えば水槽の内壁面等の被掃除部にブラシ部およびスクレーパ部のいずれか一方を接触させ、これらブラシ部およびスクレーパ部のいずれか一方が位置する側とは反対側を支持し、これらブラシ部およびスクレーパ部のいずれか一方を被掃除部に押し付けるようにして本体部を長手方向に弾性変形させることによって、この本体部を長手方向に弾性変形させた場合に生じる応力が、これらブラシ部およびスクレーパ部のいずれか一方の部分に集中する細長状に本体部が形成されている。このため、本体部を長手方向に弾性変形させることによって生じる応力をブラシ部またはスクレーパ部に効率良く集中させながら、これらブラシ部またはスクレーパ部を用いて被掃除部を掃除することができるため、様々な形状の被掃除部であっても、比較的小さな力で効率良く掃除することができ、使い勝手をより向上することができる。
【００１５】
さらに、細長棒状の本体部の一側面側がテーパ状に傾斜されてスクレーパ部が設けられているため、この細長棒状のスクレーパ部を用いることにより、例えば水槽内のソイル等の底砂と水槽の内面との間に生じた藻類（コケ）等を、比較的小さな力で効率良く擦り落として掃除することができる。また、スクレーパ部およびブラシ部が本体部の一側面側にそれぞれ設けられているため、ブラシ部を上側に向けた状態で平坦な面に安定させて設置でき、使用後におけるブラシ部の自然乾燥等を効率良く簡単に行うことができる。
【００１６】
そして、本体部の長手方向の他端部の一側面を先細状に傾斜させ、かつ本体部の幅寸法に等しい幅寸法にスクレーパ部が形成されているため、例えば、本体部より幅広な扇状のスクレーパ部に比べ、収納等の邪魔とならず、かつ水槽内の狭い隙間等に生じた藻類（コケ）等であっても確実に擦り落とすことができる。また、本体部の長手方向の一端部の一側面に毛材が垂直に植設されたブラシ部とされているため、本体部を長手方向に弾性変形させた際に生じる応力を効率良くかつ的確にブラシ部に集中させることができるから、このブラシ部を用いた掃除をより小さな力で確実に行うことができる。
【００１７】
さらに、長さ４５０ｍｍ、幅１２ｍｍ、厚さ７ｍｍの細長棒状の本体部に形成したことにより、例えば、規格化され一般に販売されている１２００ｍｍ水槽未満の高さが４５０ｍｍ以下であることから、この１２００ｍｍ水槽以下の様々なサイズの水槽において、極力水槽内に手を入れることなく掃除することができるとともに、比較的腕力が小さな子供や女性等であっても、本体部を確実に長手方向に弾性変形させることができ、この弾性変形にて生じる応力をブラシ部またはスクレーパ部に確実に集中させることができるから、これらブラシ部およびスクレーパ部を用いて水槽を容易に掃除することができる。
【図面の簡単な説明】
【００１８】
【図１】本考案の一実施の形態の水槽用掃除具を示す斜視図である。
【図２】上記水槽用掃除具を示す正面図である。
【図３】上記水槽用掃除具を示す平面図である。
【図４】上記水槽用掃除具を示す背面図である。
【図５】上記水槽用掃除具を示す左側面図である。
【図６】上記水槽用掃除具のブラシ部を用いて水槽の内壁面を掃除する様子を示す説明図である。
【図７】上記水槽用掃除具のスクレーパ部を用いて水槽内のソイルと水槽面との間の苔を掃除する様子を示す説明図である。
【考案を実施するための形態】
【００１９】
本考案の一実施の形態の水槽用掃除具について図１ないし図７を参照して説明する。
【００２０】
＜全体構成＞
この水槽用掃除具１は、図６および図７に示すように、例えば観賞魚飼育用の水槽Ａの被掃除部としての内壁面Ａ１等に発生した藻類（コケ）または水アカや、この水槽Ａ内に敷いた大磯砂利・川砂・土（ソイル）等の底砂Ｂと水槽Ａの内壁面Ａ１との間に発生した藻類（コケ）等を擦り落として掃除するための観賞魚水槽用クリーナーである。具体的に、この水槽用掃除具１は、図１ないし図５に示すように、細長棒状の本体部として棒状部である柄部２と、この柄部２の長手方向の一端部２１に設けられたブラシ部３と、このブラシ部３とは反対側の柄部２の長手方向の他端部２２に設けられたスクレーパ部４とを備えている。ここで、この水槽用掃除具１にて掃除が可能な水槽Ａとしては、一般に市販されている様々なタイプが含まれ、例えばガラス・アクリル・プラスチック等の材質で壁面が形成されたものの他、金魚鉢・テラリウム用の水盤・ベタケース・産卵箱・稚魚育成用ケース・プラケース等の水槽に準ずるものも含まれる。
【００２１】
＜柄部＞
柄部２は、耐久性およびしなり特性に優れ、雑菌を除去できる、例えば６０℃程度の熱湯洗浄が可能な素材、例えばポリスチレン樹脂等の合成樹脂にて成形されている。具体的に、この柄部２は、長手方向に沿って略円弧状に湾曲可能な可撓性を有し、この長手方向に沿って弾性変形可能に構成されており、例えば長さ４５０ｍｍ、幅１２ｍｍ、厚さ７ｍｍの大きさの細長棒状に形成されている。そして、この柄部２は、例えば水槽Ａの内壁面Ａ１にブラシ部３およびスクレーパ部４のいずれか一方を接触させ、これらブラシ部３およびスクレーパ部４のいずれか一方が位置する側とは反対側の端部を把持して支持し、これらブラシ部３およびスクレーパ部４のいずれか一方を水槽Ａの内壁面Ａ１に押し付けるようにして、この柄部２を長手方向に弾性変形させて湾曲させることによって、この柄部２を長手方向に弾性変形させて湾曲させた場合に生じる弾性応力が、これらブラシ部３およびスクレーパ部４のいずれか一方の部分に集中する「しなり効果」を有する細長状に形成されている。
【００２２】
さらに、この柄部２は、例えば黒色に着色されており、図５に示すように、幅方向断面が略長方形状に形成されている。また、この柄部２の長手方向の中心部の両側面２３，２４は、互いに等しい形状に形成されており、具体的には、幅方向の中心部が相対する方向に向けて最も突出した凸弧状とされ、長手方向が平坦な直線状とされた湾曲形状に形成されている。具体的に、この柄部２は、長手方向の中心部の厚さが、例えば７ｍｍとされ、長手方向の両端部の厚さが、例えば５ｍｍとなるように設計されている。さらに、この柄部２のブラシ部３が設けられている側である一端部２１は、幅方向に向けて円弧状に湾曲した円弧面２５に形成されており、この柄部２のスクレーパ部４が設けられている他端部２２は、この柄部２の幅方向に沿った直線状の垂直面２６に形成されている。
【００２３】
＜ブラシ部＞
ブラシ部３は、柄部２の長手方向の一端部２１の一側面２３に、複数の直線状の毛材３１が垂直に植設されて形成されている。これら毛材３１は、耐久性に優れ、雑菌を除去できる、例えば６０℃程度の熱湯洗浄が可能な素材、例えばポリプロピレン樹脂等の合成樹脂にて成形されており、柄部２と同色の黒色に着色されている。特に、これら毛材３１は、柄部２を長手方向に弾性変形させて湾曲させてブラシ部３に応力を集中させて水槽Ａのガラス面やアクリル面等である内壁面Ａ１等を掃除した場合においても、この内壁面Ａ１にキズ等がつかない程度の硬さ（曲がり安さ：付加荷重に対する弾性変形度）となるように構成されている。また、これら毛材３１は、糸状の藻類（コケ）を絡め取ることができるように、柄部２の一側面２３から、例えば１２ｍｍほど突出させて設けられており、例えば０．２ｍｍほどの直径寸法を有する断面円形の線状に形成されている。
【００２４】
また、ブラシ部３の毛材３１が植設されている部分が植毛部３２とされ、この植毛部３２は、柄部２の一端部２１の一側面２３における外縁から、例えば１ｍｍほど内側に入り込んだ部分に設けられており、例えば長さ３２ｍｍ、幅１０ｍｍほどの領域とされている。具体的に、この植毛部３２は、柄部２の長手方向の一端部２１寄りの３５ｍｍの領域に設けられている。そして、この植毛部３２は、柄部２の一端部２１の円弧面２５に近接した部分においても、この円弧面２５の外縁から、例えば１ｍｍほど内側に入り込んだ部分に設けられて先端側が円弧状とされている。具体的に、これらブラシ部３は、柄部２の植毛部３２上に長手方向に沿って４列に亘って毛材３１が植設されて形成されている。
【００２５】
＜スクレーパ部＞
スクレーパ部４は、このスクレーパ部４にて水槽Ａの内壁面Ａ１を擦る等して、この内壁面Ａ１に発生した藻類（コケ）や水アカ等を擦り落として掃除するためのものであり、柄部２の長手方向の他端部２２の一側面２３側が、先細状に傾斜させてテーパ状に形成されたヘラ状の傾斜部４１であって、この柄部２の他端部２２の、例えば２８ｍｍの部分に亘って設けられている。そして、この傾斜部４１は、例えば７°の角度に形成されているとともに、先端部に位置する垂直な先端部４２の部分が、例えば２ｍｍ程度の厚さを有するように形成されている。さらに、傾斜部４１は、ブラシ部３が設けられている側である柄部２の一側面２３側に設けられている。そして、この傾斜部４１の基端側にもまた、先細状に傾斜したテーパ状のテーパ部４３が設けられており、このテーパ部４３は、傾斜部４１の基端側の、例えば１９ｍｍの部分に亘って設けられている。具体的に、このテーパ部４３は、傾斜部４１より小さな、例えば２°の角度に形成されている。
【００２６】
一方、このスクレーパ部４における柄部２の他側面２４側は、幅方向および長手方向のそれぞれにおいて直線状の平坦面である平坦部４４とされており、この平坦部４４は、柄部２の他端部２２における、例えば３０ｍｍの部分に亘って設けられている。したがって、このスクレーパ部４は、柄部２の他端部２２の一側面２３を傾斜させた傾斜部３１とし、この柄部２の他端部２３の他側面２４を平坦な平坦部４４として形成されており、この柄部２の他端部２３の両側面２３，２４のみが加工された形状とされ、この柄部２の幅寸法に等しい幅寸法に形成されている。
【００２７】
次に、上記一実施の形態の水槽用掃除具１の作用効果について説明する。
【００２８】
＜着想＞
まず、観賞魚等を飼育するアクアリウム用の水槽Ａにおいては、時間の経過とともに藻類（コケ）の発生が見られ、この藻類が水槽Ａの内壁面Ａ１等に付着してしまうと、水槽Ａ内の観賞魚等を観賞する際の妨げとなり、視界を奪ってしまうとともに、アクアリウム用水槽Ａとしての美観を損ねてしまう。
【００２９】
このアクアリウム用水槽Ａの美観、すなわち美しさを保つためには、水槽Ａ内で飼育する観賞魚に餌を与えるとき等の少ない合間に、ほこりを落としたり、水槽Ａの汚れを拭き取ったりする等の日々のちょっとした掃除を行うことが、観賞魚飼育者（アクアリスト）に推奨されている。また、水槽Ａ内に付着する藻類（コケ）は、一日で大発生するというものではないため、わずかな時間と手間で、水槽Ａの内壁面Ａ１等のガラス面の少量を掃除することができるメンテナンスツール（水槽用掃除具）が必要であった。
【００３０】
一方、この種のアクアリウム用水槽Ａの内壁面Ａ１等のガラス面に発生した藻類（コケ）等を除去する用具については、従来から様々なタイプのものが提案されているが、その多くは、大半のアクアリストが用いる水槽Ａである、４５ｃｍ水槽（幅４５ｃｍ、奥行３０ｃｍ、高さ３０ｃｍ）未満の大きさの水槽Ａについては、大き過ぎるものがほとんどであり、水槽Ａの内壁面Ａ１等の比較的大きな広い面の掃除用として設計されており、小さなスペースの掃除には不適当なものが多かった。
【００３１】
また、この種の４５ｃｍ水槽以下の小型水槽Ａにおいては、水槽Ａ内に手を入れる等した場合に、水槽Ａ内の水面が上昇することによって、水槽Ａ内の水Ｗが溢れ出してしまうおそれが高く、水槽Ａ内の水Ｗをある程度、別の容器（バケツ等）に移してからでなければ掃除することができず、水槽Ａの内壁面Ａ１等の掃除が容易ではなかった。特に、水槽Ａの内壁面Ａ１等に生じた藻類（コケ）を除去する方法としては、ある程度尖った刃（スクレーパ等）を用いて、水槽Ａの内壁面Ａ１等からこそげ落とす方法が一般的であり、柄の長いものは、うまく刃先に力を入れることができず、柄の短いものは、相当な大きな力を込めながら作業しなければ藻類（コケ）をこそげ落として取り除くことができない場合が多かった。
【００３２】
＜作用効果＞
そこで、上記一実施の形態の水槽用掃除具１のように、細長棒状の柄部２とし、この柄部２の容積を小さく設計したことにより、例えば４５ｃｍ水槽未満の比較的小さな小型水槽Ａの内壁面Ａ１等を掃除する際に、この柄部２の先端部に設けられたブラシ部３およびスクレーパ部４のいずれか一方を水槽Ａ内に入れた場合においても、水槽Ａ内の水面上昇が小さく、水槽Ａ内の水Ｗを溢れさせるおそれが低い。このため、この種の小型水槽Ａであっても、水槽Ａ内の水Ｗをある程度、別の容器等に汲みだしたり捨てたり等することなく、また水槽Ａ内に手を入れる等することなく、水槽Ａの内壁面Ａ１等を掃除することができる。このため、比較的多くのアクアリストが使用している小型水槽Ａであっても容易に掃除ができ、日々のこまめなちょっとした掃除が容易にできるから、使い勝手を向上することができる。
【００３３】
また、細長棒状の柄部２の一端部２１に小さなブラシ部３が設けられ、この柄部２の他端部２２にヘラ状のスクレーパ部４が設けられた構成であるため、図６および図７に示すように、例えば水槽Ａの内壁面Ａ１等にブラシ部３およびスクレーパ部４のいずれか一方を接触させ、これらブラシ部３およびスクレーパ部４のいずれか一方が設けられている側とは反対側の部分を把持して支持し、これらブラシ部３およびスクレーパ部４のいずれか一方を水槽Ａの内壁面Ａ１に押し付けるようにして柄部２を長手方向に弾性変形させて湾曲させることによって、この柄部２を長手方向に弾性変形させて湾曲させた場合に生じる弾性応力が、これらブラシ部３およびスクレーパ部４のいずれか一方に集中させることができる。
【００３４】
すなわち、この柄部２を長手方向に弾性変形させて湾曲させることによって生じるしなり効果による弾性応力（反発力）をブラシ部３およびスクレーパ部４の一方に効率良く応力集中させながら、これらブラシ部３およびスクレーパ部４のいずれか一方を上下方向あるいは左右方向に適宜移動させて、水槽Ａの内壁面Ａ１等を軽く擦ることによって、これらブラシ部３およびスクレーパ部４を用いて水槽Ａの内壁面Ａ１等を短時間で効率良くスムーズに掃除することができる。
【００３５】
したがって、水槽Ａの内壁面Ａ１、さらにはシリコン等にてガラス面を接続した接続箇所等に強固にこびり付いた藻類（コケ）や水アカ等であっても、強い力を必要とせず、比較的小さな力で効率良く掃除することができ、大きな力を加えることなく、水槽Ａの内壁面Ａ１等に発生した藻類（コケ）等を効率良く取り除くことができるとともに、細長い柄部２の先端部に設けられたブラシ部３またはスクレーパ部４を入り込ませることができる程度の比較的狭い場所や複雑な形状の箇所であっても同様に、比較的小さな力で効率良く掃除することができる。よって、これらブラシ部３およびスクレーパ部４を用いた水槽Ａの掃除を容易にできるとともに、これらブラシ部３またはスクレーパ部４を適宜使い分けることによって、水槽Ａの様々な箇所を効率良く掃除することができるため、使い勝手を大幅に向上できる。
【００３６】
また、スクレーパ部４の直線状の垂直面２６を用いて、水槽Ａ内の底砂Ｂの表面を小さな範囲ずつ均すことができるため、水槽Ａ内の底砂Ｂの表面を様々な形状にすることができるとともに、底砂Ｂの日々のこまめなメンテナンスや掃除が容易にできる。
【００３７】
ここで、柄部２の長手方向の一端部２１の一側面２３に毛材３１を垂直に植設したブラシ部３としたことにより、柄部２を長手方向に弾性変形させて湾曲させた際に生じる弾性応力を効率良くかつ的確にブラシ部３に集中させることができるから、このブラシ部３を用いた掃除をより小さな力で確実に行うことができる。また、ブラシ部３の毛材３１の長さを１２ｍｍと比較的長くしたことにより、このブラシ部３の毛材３１にて糸状の藻類（コケ）を絡め取りながら取り除くことができるから、より使い勝手を向上できる。
【００３８】
また特に、細長棒状の柄部２の一側面２１側をテーパ状に傾斜させてスクレーパ部４としたため、この細長棒状のスクレーパ部４を用いることにより、例えば水槽Ａ内の底砂Ｂと内壁面Ａ１との間に生じた藻類（コケ）等であっても、図７に示すように、この底砂Ｂと内壁面Ａ１との間にスクレーパ部４を入り込ませつつ、柄部２を長手方向に弾性変形させて湾曲させ、この弾性変形にて生じる弾性応力をスクレーパ部４に集中させながら、このスクレーパ部４を上下方向あるいは左右方向に適宜移動させて、水槽Ａの内壁面Ａ１等を軽く擦ることによって、比較的小さな力で、底砂Ｂと内壁面Ａ１との間の藻類（コケ）等を効率良く削ぎ落して掃除することができる。
【００３９】
また、このスクレーパ部４として、柄部２の長手方向の他端部２２の一側面２３を先細状に傾斜させ、かつこの柄部２の幅寸法に等しい幅寸法に形成したことにより、例えば柄部２より幅広な扇状のスクレーパ部の場合に比べ、収納等の邪魔にならず、かつ水槽Ａ内の、例えばオーバーフロー用の水槽Ａ内に設置されたパイプ等の間等の狭い隙間や、小さな水槽Ａ内等に生じた藻類（コケ）等であっても確実に擦り落とすことができる。
【００４０】
さらに、図１および図２に示すように、これらブラシ部３およびスクレーパ部４のそれぞれが柄部２の一側面２３に設けられているため、例えばブラシ部３を上側に向けた状態で平坦な面に安定させて設置できるから、このブラシ部３を使用した後におけるブラシ部３の自然乾燥等を効率良く簡単に行うことができる。
【００４１】
そして、水槽用掃除具１の柄部２を、長さ４５０ｍｍ、幅１２ｍｍ、厚さ７ｍｍの細長棒状としたことにより、例えば、規格化され一般に販売されている１２００ｍｍ水槽未満の高さが４５０ｍｍ以下であることから、この１２００ｍｍ水槽以下の様々なサイズの水槽Ａの内壁面Ａ１等を掃除する場合であっても、水槽Ａ内に極力手を入れずに掃除することができるとともに、比較的腕力が小さな子供や女性等であっても、柄部２を確実に長手方向に弾性変形させて湾曲させることができ、この柄部２を弾性変形させて湾曲させることに生じる弾性応力をブラシ部３またはスクレーパ部４に確実に集中させることができるから、これらブラシ部３およびスクレーパ部４を用いて水槽Ａの内壁面Ａ１等を容易に掃除することができる。また同時に、細長棒状の柄部２としたことにより掃除の際に小回りが利き、水槽Ａ内の様々な箇所の掃除がスムーズにできる。
【００４２】
またさらに、柄部２およびブラシ部３のそれぞれを、６０°程度の熱湯洗浄ができるように構成したことにより、６０°程度の熱湯を用いて雑菌の除去を容易に行うことができる。
【００４３】
＜その他＞
なお、上記一実施の形態では、水槽用掃除具１の柄部２の長さを４５０ｍｍとしたが、用いる水槽Ａのサイズ等に合わせて、例えば２００ｍｍ以上９００ｍｍ以下の長さ等とすることもできる。また、柄部２の厚さについても適宜変更することができ、例えば３ｍｍ以上１０ｍｍ以下の厚さにすることもできる。さらに、柄部２の幅についても適宜変更することができ、例えば５ｍｍ以上３０ｍｍ以下の幅にすることもできる。また、ブラシ部３およびスクレーパ部４のサイズについても、用いる水槽Ａのサイズや水槽Ａの材質等に適合させて適宜変更することができるとともに、柄部２およびブラシ部３の毛材３１の長さや材質等についても、様々な用途等に応じて適宜変更することができる。
【００４４】
また、水槽用掃除具１の柄部２およびブラシ部３の毛材３１の色を、それぞれ黒色としたが、使用者の需要や目的等を考慮して、これら柄部２および毛材３１等の色を、無色透明・有色透明・有色非透明等の様々な色に適宜変更することができる。
【００４５】
さらに、水槽用掃除具１のスクレーパ部４等に、例えば、ベアタンク掃除用のスポンジ（図示せず）や、扇形に広がったヘラ状のスクレーパ（図示せず）等のアタッチメントを取り外し可能に取り付けることができるようにし、水槽用掃除具１の使用用途や機能を、さらに拡張することができるようにすることもできる。
【符号の説明】
【００４６】
１  水槽用掃除具
２  柄部
３  ブラシ部
４  スクレーパ部
２１  一端部
２２  他端部
２３  一側面
２４  他側面
２５  円弧面
２６  垂直面
３１  毛材
３２  植毛部
４１  傾斜部
４２  先端部
４３  テーパ部
４４  平坦部
Ａ  水槽
Ａ１  内壁面
Ｂ  底砂
Ｗ  水
【図１】
0003165549.tif 000003
【図２】
0003165549.tif 000004
【図３】
0003165549.tif 000005
【図４】
0003165549.tif 000006
【図５】
0003165549.tif 000007
【図６】
0003165549.tif 000008
【図７】
0003165549.tif 000009